(57)【要約】【課題】特定の音源が不要で、且つ、基準となる入力レベル（絶対感度）によってマイクロホンの入力レベル（感度）を調整できると共に、マイクロホン同士の入力レベル（感度）のバラツキを抑えることができるマイクロホンのレベル調整方法及び装置を提供することである。【解決手段】複数の無指向性マイクロホンの入力信号から所定の周波数帯の入力レベルを夫々抽出し、抽出した入力レベルのうち１つを基準レベルとし、基準レベルと抽出した入力レベルとのレベル差を検出し、検出したレベル差に基づいてレベル差信号を生成し、生成したレベル差信号に応じたレベル制御信号により無指向性マイクロホンの入力レベルを夫々制御して基準マイクロホンとの入力レベル差を調整し、入力レベル差の調整が完了したときのレベル制御信号を記憶し、記憶したレベル制御信号に基づいて無指向性マイクロホンの入力レベルを夫々調整するマイクロホンのレベル調整方法及び装置。【選択図】　図２
2004129038.tif 000002
【特許請求の範囲】
【請求項１】
複数の無指向性マイクロホンの入力信号から所定の周波数帯の入力レベルを夫々抽出し、
該抽出した入力レベルのうち１つを基準レベルとし、該基準レベルと前記抽出した入力レベルとのレベル差を検出し、
該検出したレベル差に基づいてレベル差信号を生成し、
該生成したレベル差信号に応じたレベル制御信号により前記無指向性マイクロホンの入力レベルを夫々制御して前記基準マイクロホンとの入力レベル差を調整し、
該入力レベル差の調整が完了したときのレベル制御信号を記憶し、
該記憶したレベル制御信号に基づいて前記無指向性マイクロホンの入力レベルを夫々調整すること
を特徴とするマイクロホンのレベル調整方法。
【請求項２】
第１及び第２の無指向性マイクロホンの入力信号から所定の周波数帯の入力レベルを夫々抽出し、
該抽出した入力レベルのレベル差を検出し、
該検出したレベル差に基づいてレベル差信号を生成し、
該生成したレベル差信号に応じたレベル制御信号により前記第１及び／又は第２の無指向性マイクロホンの入力レベルを制御して前記第１と第２の無指向性マイクロホンの入力レベル差を調整し、
該入力レベル差の調整が完了したときのレベル制御信号を記憶し、
該記憶したレベル制御信号に基づいて前記第１の無指向性マイクロホン及び／又は第２の無指向性マイクロホンの入力レベルを調整すること
を特徴とするマイクロホンのレベル調整方法。
【請求項３】
無指向性マイクロホンの入力信号から所定の周波数帯の入力レベルを抽出し、前記無指向性マイクロホンの基準となる特性を有する基準マイクロホンの入力信号から所定の周波数帯の入力レベルを抽出し、
前記抽出した無指向性マイクロホンの入力レベルと前記抽出した基準マイクロホンの入力レベルのレベル差を検出し、
該検出したレベル差に基づいてレベル差信号を生成し、
該生成したレベル差信号に応じたレベル制御信号によって前記無指向性マイクロホンの入力レベルを制御して前記基準マイクロホンとの入力レベル差を調整し、
該入力レベル差の調整が完了したときのレベル制御信号を記憶し、
該記憶したレベル制御信号に基づいて前記無指向性マイクロホンの入力レベルを調整すること
を特徴とするマイクロホンのレベル調整方法。
【請求項４】
複数の無指向性マイクロホンからの入力信号を夫々指向性演算処理回路に供給し、前記指向性演算処理回路の出力として得られる指向性信号を記録するようにしたマイクロホンのレベル調整装置であって、
前記無指向性マイクロホンの入力レベルを制御するレベル制御手段と、
前記無指向性マイクロホンの入力信号から所定の周波数帯の入力レベルを夫々抽出し、該抽出した入力レベルのうち１つを基準レベルとし、該基準レベルと前記抽出した入力レベルとのレベル差を検出するレベル検出手段と、
前記レベル検出手段で検出したレベル差に基づいてレベル差信号を生成するレベル差信号生成手段と、
前記レベル差信号生成手段で生成したレベル差信号に応じたレベル制御信号により前記レベル制御手段を制御し、前記基準マイクロホンとの入力レベル差を調整する第１のレベル調整手段と、
前記第１のレベル調整手段で入力レベル差の調整が完了したときのレベル制御信号を記憶する記憶手段と、
前記記憶手段に記憶したレベル制御信号に基づいて前記レベル制御手段を制御し、前記無指向性マイクロホンの入力レベルを調整する第２のレベル調整手段と、
を備えたこと
を特徴とするマイクロホンのレベル調整装置。
【請求項５】
前記レベル検出手段において、入力信号から抽出する周波数帯の半波長の長さを、前記無指向性マイクロホンの配置間隔以上とすること
を特徴とする請求項４に記載のマイクロホンのレベル調整装置。
【請求項６】
第１の無指向性マイクロホンからの入力信号及び第２の無指向性マイクロホンからの入力信号を夫々指向性演算処理回路に供給し、前記指向性演算処理回路の出力として得られる指向性信号を記録するようにしたマイクロホンのレベル調整装置であって、
前記第１及び／又は第２の無指向性マイクロホンの入力レベルを制御するレベル制御手段と、
前記第１及び第２の無指向性マイクロホンの入力信号から所定の周波数帯の入力レベルを夫々抽出し、該抽出した入力レベルのレベル差を検出するレベル検出手段と、
前記レベル検出手段で検出したレベル差に基づいてレベル差信号を生成するレベル差信号生成手段と、
前記レベル差信号生成手段で生成したレベル差信号に応じたレベル制御信号により前記レベル制御手段を制御し、前記第１の無指向性マイクロホンと第２の無指向性マイクロホンとの入力レベル差を調整する第１のレベル調整手段と、
前記第１のレベル調整手段で入力レベル差の調整が完了したときのレベル制御信号を記憶する記憶手段と、
前記記憶手段に記憶したレベル制御信号に基づいて前記レベル制御手段を制御し、前記第１の無指向性マイクロホン及び／又は第２の無指向性マイクロホンの入力レベルを調整する第２のレベル調整手段と、
を備えたこと
を特徴とするマイクロホンのレベル調整装置。
【請求項７】
前記レベル検出手段において、入力信号から抽出する周波数帯の半波長の長さを、前記第１と第２の無指向性マイクロホンの配置間隔以上とすること
を特徴とする請求項６に記載のマイクロホンのレベル調整装置。
【請求項８】
無指向性マイクロホンからの入力信号を指向性演算処理回路に供給し、前記指向性演算処理回路の出力として得られる指向性信号を記録するようにしたマイクロホンのレベル調整装置において、
前記無指向性マイクロホンの入力レベルを制御するレベル制御手段と、
前記無指向性マイクロホンの入力信号から所定の周波数帯の入力レベルを検出する第１のレベル検出手段と、
前記無指向性マイクロホンの基準となる特性を有する基準マイクロホンの入力信号から所定の周波数帯の入力レベルを検出する第２のレベル検出手段と、
前記第１及び第２のレベル検出手段で夫々検出した入力レベルのレベル差を検出し、該検出したレベル差に基づいてレベル差信号を生成するレベル差信号生成手段と、
前記レベル差信号生成手段で生成したレベル差信号に応じたレベル制御信号により前記レベル制御手段を制御し、前記基準マイクロホンとの入力レベル差を調整する第１のレベル調整手段と、
前記第１のレベル調整手段で入力レベル差の調整が完了したときのレベル制御信号を記憶する記憶手段と、
前記記憶手段で記憶したレベル制御信号に基づいて前記レベル制御手段を制御し、前記無指向性マイクロホンの入力レベルを調整する第２のレベル調整手段と、
を備えたこと
を特徴とするマイクロホンのレベル調整装置。
【請求項９】
前記レベル検出手段において、入力信号から抽出する周波数帯の半波長の長さを、前記無指向性マイクロホンと前記基準マイクロホンの配置間隔以上とすること
を特徴とする請求項８に記載のマイクロホンのレベル調整装置。
【請求項１０】
マイクロホンの入力レベルを調整するレベル調整器を接続し、機器が備えている無指向性マイクロホンの入力レベルを調整することが可能であり、
前記無指向性マイクロホンからの入力信号を指向性演算処理回路に供給し、該指向性演算処理回路の出力として得られる指向性信号を記録することができるマイクロホンレベル調整部を備えた電子機器であって、
前記電子機器のマイクロホンレベル調整部は、
前記無指向性マイクロホンの入力レベルを制御するレベル制御手段と、
前記無指向性マイクロホンからの入力信号を前記レベル調整器に出力する信号出力部と、
前記無指向性マイクロホンの入力信号と該無指向性マイクロホンの基準となる特性を有する基準マイクロホンの入力信号とに基づき前記レベル調整器で生成されるレベル差信号を得ることができる信号入力手段と、
前記信号入力手段からのレベル差信号に応じたレベル制御信号により前記レベル制御手段を制御し、前記無指向性マイクロホンと前記基準マイクロホンとの入力レベル差を調整する第１のレベル調整手段と、
前記第１のレベル調整手段で入力レベル差の調整が完了したときのレベル制御信号を記憶する記憶手段と、
前記記憶手段に記憶したレベル制御信号に基づいて前記レベル制御手段を制御し、前記無指向性マイクロホンの入力レベルを調整する第２のレベル調整手段と、
を具備していること
を特徴とする電子機器。
【発明の詳細な説明】
【０００１】
【発明の属する技術分野】
本発明は、マイクロホンのレベル調整方法及びマイクロホンのレベル調整装置及び電子機器に関する。詳しくは、特定の音源が不要で、且つ、基準となる入力レベル（絶対感度）によってマイクロホンの入力レベル（感度）を調整できると共に、マイクロホン同士の入力レベル（感度）のバラツキを抑えることができるマイクロホンのレベル調整方法及びマイクロホンのレベル調整装置及び電子機器に関する。
【０００２】
【従来の技術】
従来技術において、デジタルビデオカメラ等のカメラ一体型ＶＴＲ（Ｖｉｄｅｏ　Ｔａｐｅ　Ｒｅｃｏｒｄｅｒ）に内蔵のマイクユニットは、一般的にキャビネット形状や風ノイズの影響を受けにくい無指向性マイクロホンが使用されるのが一般的である。
【０００３】
そして、この無指向性マイクからステレオ特性を得るためには、２個以上の無指向性マイクロホンからの入力信号を有指向性演算処理で回路的に補正し、ステレオ特性にする必要がある。
【０００４】
ここで、有指向性演算処理に入力する入力信号間にわずかなレベルのバラツキがあると、ステレオ信号の左チャンネル（以下、Ｌ［ｃｈ］）からの出力信号と、右チャンネル（以下、Ｒ［ｃｈ］）の出力信号には演算処理で拡大したレベル差もしくは位相差が生じ、ステレオ音場定位が乱れる等の問題があった。
【０００５】
そこで、マイクロホンで入力される信号に対して常時自動レベルバランス処理を施して、マイクロホン間のレベルのバラツキを抑える方法がある。この方法は、ステレオマイクロホンの場合、Ｌ［ｃｈ］もしくはＲ［ｃｈ］どちらか一方のマイクロホンのレベルをリファレンスにして、これに他方のレベルを合わせる方式である（例えば、特許文献１参照。）。
【０００６】
また、多数のマイクロホンで構成されたマイクロホンアレイの場合は、そのうち一つのマイクロホンの出力レベルに、他のマイクロホンの出力レベルを等しく自動補正し、マイクロホン間のレベルのバラツキを抑えている（例えば、特許文献２参照。）。
【０００７】
また、別の方法として、マイクロホンに調整用基準音源（信号発生器、アンプ、スピーカ）から基準レベル信号を入力し、この基準レベル信号に内蔵マイクのＬ［ｃｈ］及びＲ［ｃｈ］のレベルを合わせる方式で左右のレベルのバラツキを調整する方法もある（例えば、特許文献３参照。）。
【０００８】
【特許文献１】
特開２００１−１７７９００号公報（第４−６頁、第１図）
【特許文献２】
特開平７−１３１８８６号公報（第３−４頁、第１図）
【特許文献３】
特開平８−３３１６９６号公報（第３−５頁、第２図）
【０００９】
【発明が解決しようとする課題】
しかしながら、マイクロホンのＬ［ｃｈ］もしくはＲ［ｃｈ］どちらか一方のレベルをリファレンスにして、これに他方のレベルを合わせる方式では、チャンネル間のレベルバランスは取れるが、基準となる入力レベルに合わせることができない。言い換えれば、マイクロホンの相対感度は調整されるが絶対感度は調整されないという問題があり、更に、常時自動で左右のレベルバランスを取っているような場合は、セットのパワーオン時や風雑音による外乱がある時など、一時的に左右のバランスがずれることがあるという問題が起こる。
【００１０】
また、マイクロホンアレイにおいて、そのうち一つのマイクロホンの出力レベルに、他のマイクロホンの出力レベルを等しく自動補正する方法も上述と同様の問題を有している。
【００１１】
一方、マイクロホンに調整用基準音源（信号発生器、アンプ、スピーカ）から基準レベル信号を入力し、この基準レベル信号にマイクロホンのＬ［ｃｈ］及びＲ［ｃｈ］のレベルを合わせる方法では、レベル調整時に特別の音源が必要であり、基準音源の設置・校正や防音室等の隔離環境が必要となり、騒音の多い調整ライン工程における導入に難点がある。
【００１２】
また、この入力レベルのバラツキは、製造時に発生するマイクロホン個々の特性の違いやマイクロホンからの入力信号を処理する回路（オペアンプ等で構成されるプリアンプ、入力レベルを一定にして聞きやすくするためのＡＧＣ（自動ゲインコントロール）回路、周波数特性を最適化するためのフィルタ回路、ＡＤコンバータなど）の特性の違いなどにより発生し、これがすべて積算されて生じている。
【００１３】
そのために、マイクロホン自体のレベル（感度）のバラツキを補正するだけでなく、マイクロホンからの入力信号を処理する回路（ＡＭＰ、ＡＧＣ、ＡＤコンバータなど）によるレベルのバラツキを補正しなければならないという問題があり、これらのバラツキを抑えるためには、マイクの選別（ペアリング）やオペアンプ特性、Ｃ（コンデンサ）素子、Ｒ（抵抗）素子等のアナログ部品選定に細心の注意が必要になり、部品点数の増加や精度を上げるための部品及び回路を構成するＩＣのコストアップなどの問題が生じる。
【００１４】
従って、特定の音源が不要で、且つ、基準となる入力レベル（絶対感度）によってマイクロホンの入力レベル（感度）を調整できるようにすると共に、複数のマイクロホンで構成されている場合は、マイクロホン同士の入力レベル（感度）のバラツキを抑えることができるようにすること、に解決しなければならない課題を有する。
【００１５】
【課題を解決するための手段】
前記課題を解決するため、本発明に係るマイクロホンのレベル調整方法及びマイクロホンのレベル調整装置及び電子機器は次のような構成にすることである。
【００１６】
（１）複数の無指向性マイクロホンの入力信号から所定の周波数帯の入力レベルを夫々抽出し、該抽出した入力レベルのうち１つを基準レベルとし、該基準レベルと前記抽出した入力レベルとのレベル差を検出し、該検出したレベル差に基づいてレベル差信号を生成し、該生成したレベル差信号に応じたレベル制御信号により前記無指向性マイクロホンの入力レベルを夫々制御して前記基準マイクロホンとの入力レベル差を調整し、該入力レベル差の調整が完了したときのレベル制御信号を記憶し、該記憶したレベル制御信号に基づいて前記無指向性マイクロホンの入力レベルを夫々調整することを特徴とするマイクロホンのレベル調整方法。
【００１７】
（２）第１及び第２の無指向性マイクロホンの入力信号から所定の周波数帯の入力レベルを夫々抽出し、該抽出した入力レベルのレベル差を検出し、該検出したレベル差に基づいてレベル差信号を生成し、該生成したレベル差信号に応じたレベル制御信号により前記第１及び／又は第２の無指向性マイクロホンの入力レベルを制御して前記第１と第２の無指向性マイクロホンの入力レベル差を調整し、該入力レベル差の調整が完了したときのレベル制御信号を記憶し、該記憶したレベル制御信号に基づいて前記第１の無指向性マイクロホン及び／又は第２の無指向性マイクロホンの入力レベルを調整することを特徴とするマイクロホンのレベル調整方法。
【００１８】
（３）無指向性マイクロホンの入力信号から所定の周波数帯の入力レベルを抽出し、前記無指向性マイクロホンの基準となる特性を有する基準マイクロホンの入力信号から所定の周波数帯の入力レベルを抽出し、前記抽出した無指向性マイクロホンの入力レベルと前記抽出した基準マイクロホンの入力レベルのレベル差を検出し、該検出したレベル差に基づいてレベル差信号を生成し、該生成したレベル差信号に応じたレベル制御信号によって前記無指向性マイクロホンの入力レベルを制御して前記基準マイクロホンとの入力レベル差を調整し、該入力レベル差の調整が完了したときのレベル制御信号を記憶し、該記憶したレベル制御信号に基づいて前記無指向性マイクロホンの入力レベルを調整することを特徴とするマイクロホンのレベル調整方法。
【００１９】
（４）複数の無指向性マイクロホンからの入力信号を夫々指向性演算処理回路に供給し、前記指向性演算処理回路の出力として得られる指向性信号を記録するようにしたマイクロホンのレベル調整装置であって、前記無指向性マイクロホンの入力レベルを制御するレベル制御手段と、前記無指向性マイクロホンの入力信号から所定の周波数帯の入力レベルを夫々抽出し、該抽出した入力レベルのうち１つを基準レベルとし、該基準レベルと前記抽出した入力レベルとのレベル差を検出するレベル検出手段と、前記レベル検出手段で検出したレベル差に基づいてレベル差信号を生成するレベル差信号生成手段と、前記レベル差信号生成手段で生成したレベル差信号に応じたレベル制御信号により前記レベル制御手段を制御し、前記基準マイクロホンとの入力レベル差を調整する第１のレベル調整手段と、前記第１のレベル調整手段で入力レベル差の調整が完了したときのレベル制御信号を記憶する記憶手段と、前記記憶手段に記憶したレベル制御信号に基づいて前記レベル制御手段を制御し、前記無指向性マイクロホンの入力レベルを調整する第２のレベル調整手段と、を備えたことを特徴とするマイクロホンのレベル調整装置。
（５）前記レベル検出手段において、入力信号から抽出する周波数帯の半波長の長さを、前記無指向性マイクロホンの配置間隔以上とすることを特徴とする（４）に記載のマイクロホンのレベル調整装置。
【００２０】
（６）第１の無指向性マイクロホンからの入力信号及び第２の無指向性マイクロホンからの入力信号を夫々指向性演算処理回路に供給し、前記指向性演算処理回路の出力として得られる指向性信号を記録するようにしたマイクロホンのレベル調整装置であって、前記第１及び／又は第２の無指向性マイクロホンの入力レベルを制御するレベル制御手段と、前記第１及び第２の無指向性マイクロホンの入力信号から所定の周波数帯の入力レベルを夫々抽出し、該抽出した入力レベルのレベル差を検出するレベル検出手段と、前記レベル検出手段で検出したレベル差に基づいてレベル差信号を生成するレベル差信号生成手段と、前記レベル差信号生成手段で生成したレベル差信号に応じたレベル制御信号により前記レベル制御手段を制御し、前記第１の無指向性マイクロホンと第２の無指向性マイクロホンとの入力レベル差を調整する第１のレベル調整手段と、前記第１のレベル調整手段で入力レベル差の調整が完了したときのレベル制御信号を記憶する記憶手段と、前記記憶手段に記憶したレベル制御信号に基づいて前記レベル制御手段を制御し、前記第１の無指向性マイクロホン及び／又は第２の無指向性マイクロホンの入力レベルを調整する第２のレベル調整手段と、を備えたことを特徴とするマイクロホンのレベル調整装置。
（７）前記レベル検出手段において、入力信号から抽出する周波数帯の半波長の長さを、前記第１と第２の無指向性マイクロホンの配置間隔以上とすることを特徴とする（６）に記載のマイクロホンのレベル調整装置。
【００２１】
（８）無指向性マイクロホンからの入力信号を指向性演算処理回路に供給し、前記指向性演算処理回路の出力として得られる指向性信号を記録するようにしたマイクロホンのレベル調整装置において、前記無指向性マイクロホンの入力レベルを制御するレベル制御手段と、前記無指向性マイクロホンの入力信号から所定の周波数帯の入力レベルを検出する第１のレベル検出手段と、前記無指向性マイクロホンの基準となる特性を有する基準マイクロホンの入力信号から所定の周波数帯の入力レベルを検出する第２のレベル検出手段と、前記第１及び第２のレベル検出手段で夫々検出した入力レベルのレベル差を検出し、該検出したレベル差に基づいてレベル差信号を生成するレベル差信号生成手段と、前記レベル差信号生成手段で生成したレベル差信号に応じたレベル制御信号により前記レベル制御手段を制御し、前記基準マイクロホンとの入力レベル差を調整する第１のレベル調整手段と、前記第１のレベル調整手段で入力レベル差の調整が完了したときのレベル制御信号を記憶する記憶手段と、前記記憶手段で記憶したレベル制御信号に基づいて前記レベル制御手段を制御し、前記無指向性マイクロホンの入力レベルを調整する第２のレベル調整手段と、を備えたことを特徴とするマイクロホンのレベル調整装置。
（９）前記レベル検出手段において、入力信号から抽出する周波数帯の半波長の長さを、前記無指向性マイクロホンと前記基準マイクロホンの配置間隔以上とすることを特徴とする（８）に記載のマイクロホンのレベル調整装置。
【００２２】
（１０）マイクロホンの入力レベルを調整するレベル調整器を接続し、機器が備えている無指向性マイクロホンの入力レベルを調整することが可能であり、前記無指向性マイクロホンからの入力信号を指向性演算処理回路に供給し、該指向性演算処理回路の出力として得られる指向性信号を記録することができるマイクロホンレベル調整部を備えた電子機器であって、前記電子機器のマイクロホンレベル調整部は、前記無指向性マイクロホンの入力レベルを制御するレベル制御手段と、前記無指向性マイクロホンからの入力信号を前記レベル調整器に出力する信号出力部と、前記無指向性マイクロホンの入力信号と該無指向性マイクロホンの基準となる特性を有する基準マイクロホンの入力信号とに基づき前記レベル調整器で生成されるレベル差信号を得ることができる信号入力手段と、前記信号入力手段からのレベル差信号に応じたレベル制御信号により前記レベル制御手段を制御し、前記無指向性マイクロホンと前記基準マイクロホンとの入力レベル差を調整する第１のレベル調整手段と、前記第１のレベル調整手段で入力レベル差の調整が完了したときのレベル制御信号を記憶する記憶手段と、前記記憶手段に記憶したレベル制御信号に基づいて前記レベル制御手段を制御し、前記無指向性マイクロホンの入力レベルを調整する第２のレベル調整手段と、を具備していることを特徴とする電子機器。
【００２３】
このようなマイクロホンのレベル調整方法及びマイクロホンのレベル調整装置及び電子機器において、複数の無指向性マイクロホンの入力信号から所定の周波数帯の入力レベルを夫々抽出し、抽出した入力レベルのうち１つを基準レベルとし、基準レベルと前記抽出した入力レベルとのレベル差を検出し、検出したレベル差に基づいてレベル差信号を生成し、生成したレベル差信号に応じたレベル制御信号により各無指向性マイクロホンの入力レベルを夫々制御して、基準マイクロホンとの入力レベル差を調整し、入力レベル差の調整が完了したときのレベル制御信号を記憶し、記憶したレベル制御信号に基づいて無指向性マイクロホンの入力レベルを夫々調整するので、レベル調整用の特定音源が不要となり、常に調整時の適正な状態でマイクロホンを動作させることができる。
【００２４】
また、基準マイクロホンへの入力信号と無指向性マイクロホンの入力信号の中から所定の周波数帯の入力レベルを抽出してそのレベル差を検出し、検出したレベル差に応じたレベル制御信号によって基準マイクロホンとの入力レベル差を調整し、調整が完了したときのレベル制御信号を記憶手段に記憶し、記憶したレベル制御信号によって無指向性マイクロホンのレベルを調整するので、レベル調整用の特定音源が不要となり、常に基準マイクロホンの入力レベルで調整した状態でマイクロホンを動作させることができる。
【００２５】
更に、複数の無指向性マイクロホンで構成されている場合は、基準マイクロホンの入力レベルに各無指向性マイクロホンの入力レベルを合わせるので、無指向性マイクロホン個々の入力レベル（感度）のバラツキを抑え、且つ、常に基準マイクロホンの入力レベルで調整された状態で各無指向性マイクロホンを動作させることができる。
【００２６】
【発明の実施の形態】
次に、本発明に係るマイクロホンのレベル調整方法及びマイクロホンのレベル調整装置及び電子機器における実施の形態について図面を参照して説明する。但し、図面は専ら解説のためのものであって、本発明の技術的範囲を限定するものではない。
【００２７】
まず、マイクロホン（以下、マイク）と音源との関係について図１を参照しながら説明する。
【００２８】
図１は、近接配置される２つのマイク１、マイク２と音源Ａとの関係を略示的に示した図であり、間隔ｄをもって配置されるマイク１及びマイク２に音源Ａの方向から振幅ａの余弦波を入力した場合、音源Ａからの余弦波は、間隔ｄに対して十分に長い距離から入射するため、マイク１及びマイク２にはそれぞれ平行に入力すると考えられる。
【００２９】
ここで、間隔ｄが余弦波の波長よりも十分に短いとすれば、マイク１及びマイク２からそれぞれ出力される信号１及び信号２は、次に示す［１］式及び［２］式で表わされる。
【００３０】
信号１＝ａ［ｃｏｓ（ωｔ）］　　・・・・・・［１］式
信号２＝ａ［ｃｏｓ（ωｔ−φ）］・・・・・・［２］式
【００３１】
ここで［２］式の「φ」は、マイク２と音源Ａ方向を結ぶ直線とマイク１からおろした垂線とが交わる点ｃとマイク２との距離分の位相差である。［２］式によれば、信号２は信号１に対して位相φだけ遅れた同じ振幅ａの信号となり、位相φは間隔ｄの関数になり、間隔ｄが小さいほど位相φは小さくなり、信号１と信号２は同位相となる。
【００３２】
ところで、音は空気中を疎密波として伝播するものであり、音源Ａの余弦波は、＋の最大値（もしくは−の最小値）を密とし、−の最小値（もしくは＋の最大値）を疎とすると、間隔ｄが余弦波の波長λの半周期分よりも大きい、つまり（λ／２）＜ｄである場合、言い換えれば、間隔ｄを半周期とする周波数よりも入射する余弦波の周波数が高い場合は、マイク２に到達する余弦波がマイク１の影になり、レベルが落ちてマイク２に到達するため、信号２は信号１よりも振幅が減少する。
【００３３】
しかし、間隔ｄが余弦波の半周期分よりも小さい、つまり（λ／２）＞ｄである場合、言い換えれば、間隔ｄを半周期とする周波数よりも入射する余弦波の周波数が低ければ、音の回折現象によりマイク２に到達する余弦波はマイク１にほとんど影響されないため、信号１と信号２の振幅はほとんど変わらない。
【００３４】
例えば、図１において、間隔ｄを５０［ｍｍ］とすれば、常温における半周期とする周波数Ｆは［３］式になる。
【００３５】
2004129038.tif 000003
【００３６】
したがって、図１において、入射する余弦波をこの周波数Ｆよりも十分に低く帯域制限すれば信号１と信号２の振幅はほとんど変わらず、間隔ｄに相当する遅延分の位相差φだけずれることになる。
【００３７】
このようなマイクと音源との関係に基づき、マイクに入力された音の周波数を帯域制限し、周波数Ｆよりも十分低い周波数帯の音によってマイクロホンレベルの調整を行うものである。
【００３８】
ところで、一般に屋内及び屋外に存在する環境音は、その周波数特性が１／ｆ特性（ｆは周波数）を示し、周波数ｆが低域になるにつれてレベルが大きくなる特性をもつため、この屋内及び屋外に存在する環境音によりマイクロホンのレベル調整が可能となる。以下の実施例は、このマイクと音源との関係に基づいて説明する。
【００３９】
まず、第１の実施例として、２つのマイクのマイクロホンレベルを調整する場合について図を参照しながら説明する。
【００４０】
図２は、２つのマイク（ステレオマイク）とこのマイクのレベル調整に関する部分を略示的に示したマイクロホンのレベル調整装置のブロック図であり、マイク１１／１２、ＡＭＰ（アンプ）２１／２２、ＡＤＣ（Ａ／Ｄコンバータ）３１／３２、レベル制御回路４０、有指向性演算処理回路５０、レベル差検出回路６０、マイコン７０から構成される。
【００４１】
マイク１１及びマイク１２は、ステレオ特性を得るための左チャンネル（以下、Ｌ［ｃｈ］）と右チャンネル（以下、Ｒ［ｃｈ］）のマイクであり、例えば、図１のように間隔ｄで配置され、入力された音を電気信号に変換して出力する。
【００４２】
ＡＰＭ２１及びＡＭＰ２２は、マイク１１及びマイク１２で電気信号に変換された音のレベルを最適化して出力する。
【００４３】
ＡＤＣ３１及びＡＤＣ３２は、ＡＰＭ２１／２２などから送られてくる電気信号（アナログ信号）をデジタル信号に変換して出力する。
【００４４】
レベル制御回路４０は、マイコン７０からのレベル制御信号に基づいて、入力されたデジタル信号（例えば、ＡＤＣ３１／３２の出力信号など）やアナログ信号（例えば、ＡＭＰ２１／２２の出力信号など）のレベルを調整して出力する。
【００４５】
有指向性演算処理回路５０は、入力端子５１／５２と、出力端子５３／５４とを備え、入力されたデジタル信号（例えば、ＡＤＣ３１／３２やレベル制御回路４０などからの出力信号）に対してステレオ音場演算等の有指向性演算処理を行い、処理したデジタル信号を出力端子５３／５４からそれぞれＲ［ｃｈ］信号、Ｌ［ｃｈ］信号として出力する。
【００４６】
レベル差検出回路６０は、ＡＤＣ３１及びＡＤＣ３２から出力されたデジタル信号のレベル差を検出し、検出したレベル差に基づいてレベル検出信号を生成し、マイコン７０に出力する。
【００４７】
図３は、レベル差検出回路６０の構成を示すブロック図であり、ＬＰＦ（Ｌｏｗ　Ｐａｓｓ　Ｆｉｌｔｅｒ）６１１／ＬＰＦ６１２、絶対値化部６２１／６２２、ピーク検波部６３１／６３２、加算器６４０、符号検出部６５０、信号生成部６６０とから構成される。
【００４８】
ＬＰＦ６１１及びＬＰＦ６１２は、ＡＤＣ３１及びＡＤＣ３２からの出力であるデジタル信号がそれぞれ入力され、このデジタル信号を帯域制限して、所定の周波数帯の信号のみを絶対値化部６２１／６２２に送出する。
【００４９】
絶対値化部６２１及び絶対値化部６２２は、ＬＰＦ６１１及びＬＰＦ６１２を通過してきたデジタル信号の値を絶対値化し、ピーク検波部６３１／６３２に送出する。
【００５０】
ピーク検波部６３１及びピーク検波部６３２は、絶対値化部６２１／６２２から送られてくるデジタル信号をピーク検波し、加算器６４０に送出する。
【００５１】
加算器６４０は、＋端子と−端子を備え、ピーク検波部６３１／６３２でピーク検波されたデジタル信号の一方を＋端子側、他方を−端子側に接続し、入力されたデジタル信号同士を加算処理して符号検出部６５０に送出する。
【００５２】
符号検出部６５０は、加算器６４０で加算処理されたデジタル信号の正負を判別処理して信号生成部６６０に送出する。
【００５３】
信号生成部６６０は、符号検出部６５０の判別処理結果に基づいてレベル検出信号を生成してマイコン７０に出力する。
【００５４】
マイコン７０は、メモリ、例えば、電気的消去／書き込みが可能な読み出し専用の不揮発メモリーであるＥＥＰＲＯＭ７１を備え、マイクのレベルを調整するときの調整モードと、マイクを通常に使用する時の通常モードとを切り換えることができるようになっている。
【００５５】
そして、調整モードでは、レベル差検出回路６０からのレベル検出信号に基づいてレベル制御信号を生成してレベル制御回路４０を制御し、ＡＤＣ３２（又はＡＤＣ３１）の出力レベルがＡＤＣ３１（又はＡＤＣ３２）の出力レベルと同レベルになるように調整し、調整が完了したときのレベル制御信号をＥＥＰＲＯＭ７１に書き込んで記憶する。
【００５６】
また、通常モードでは、ＥＥＰＲＯＭ７１に書き込まれたレベル制御信号を適宜読み出し、レベル制御回路４０を制御してＡＤＣ３２（又はＡＤＣ３１）の出力レベルがＡＤＣ３１（又はＡＤＣ３２）の出力レベルと同レベルになるように調整する。
【００５７】
このようなマイク１１／１２、ＡＭＰ（アンプ）２１／２２、ＡＤＣ（Ａ／Ｄコンバータ）３１／３２、レベル制御回路４０、有指向性演算処理回路５０、レベル差検出回路６０、マイコン７０は、以下のように接続される。
【００５８】
マイク１１は、ＡＭＰ２１の入力側に接続され、ＡＭＰ２１の出力側は、ＡＤＣ３１の入力側に接続され、ＡＤＣ３１の出力側は、レベル差検出回路６０の一方の入力側と有指向性演算処理回路５０の入力端子５１に接続される。
【００５９】
マイク１２は、ＡＭＰ２２の入力側に接続され、ＡＭＰ２２の出力側は、ＡＤＣ３２の入力側に接続され、ＡＤＣ３２の出力側は、レベル差検出回路６０の一方の入力側とレベル制御回路４０の一方の入力側に接続され、レベル制御回路４０の出力側は、有指向性演算処理回路５０の入力端子５２に接続される。
【００６０】
また、レベル差検出回路６０の出力側は、マイコン７０の入力ポートに接続され、マイコン７０の出力ポートはレベル制御回路４０の一方の入力側に接続される。
【００６１】
続いて、上述のように接続されたマイクロホンのレベル調整装置において、マイクロホンのレベルを調整するときの動作について説明する。
【００６２】
マイク１１及びマイク１２は、それぞれ、Ｒ［ｃｈ］及びＬ［ｃｈ］用のマイクロホンであり、例えば、図１のように間隔ｄで配置されているものであるとする。
【００６３】
マイク１１及びマイク１２は、周囲の環境音などを入力源とし、入力された音（アナログ信号）をそれぞれ電気信号に変換してＡＭＰ２１及びＡＭＰ２２に送る。
【００６４】
ＡＭＰ２１及びＡＭＰ２２は、マイク１１及びマイク１２から送られてくる電気信号に変換して出力されたアナログ信号をそれぞれ所定のレベルに最適化してＡＤＣ３１及びＡＤＣ３２に送出する。
【００６５】
ＡＤＣ３１及びＡＤＣ３２は、ＡＭＰ２１及びＡＭＰ２２から送出されたアナログ信号をそれぞれ所定のデジタル信号に変換し、レベル差検出回路６０に送出する。
【００６６】
レベル差検出回路６０は、ＡＤＣ３１とＡＤＣ３２から送られてくるデジタル信号のレベル差、即ち、マイク１１とマイク１２のレベル差を検出し、検出したレベル差に基づいてレベル検出信号を生成し、マイコン７０に出力する。
【００６７】
このレベル差検出回路６０の処理を図４に示すフローチャートを参照しながら説明する。
【００６８】
マイク１１側のＡＤＣ３１から送られてくるデジタル信号を信号Ａとし、マイク１２側のＡＤＣ３２から送られてくるデジタル信号を信号Ｂとすると、レベル差検出回路６０は、まず、ＬＰＦ６１１及びＬＰＦ６１２で信号Ａと信号Ｂを帯域制限し、所定の周波数帯の信号のみを絶対値化部６３１／絶対値化部６３２へ送出する。（ＳＴ１００ａ／１００ｂ→ＳＴ１１０ａ／１１０ｂ）。
【００６９】
ここで、所定の周波数帯の信号とは、マイク１１／１２に入力された信号（音）の周波数Ｆに対して十分に低い周波数帯（上述の［３］式参照）の信号を抽出する。
【００７０】
尚、周波数帯を抽出（帯域制限）は、ＬＰＦに限定するものではなく、例えばＢＰＦ（Ｂａｎｄ　Ｐａｓｓ　Ｆｉｌｔｅｒ）で上述した［３］式を満足する所定の周波数のみ抽出するようにしても良い。
【００７１】
次に、絶対値化部６３１及び絶対値化部６３２では、ＬＰＦ６１１／ＬＰＦ６１２からの出力信号をそれぞれ絶対値化し、ピーク検波部６３１及びピーク検波部６３２へ送出する（ＳＴ１１０ａ／１１０ｂ→ＳＴ１２０ａ／１２０ｂ）。
【００７２】
ピーク検波部６３１及びピーク検波部６３２では、絶対値化部６３１／絶対値化部６３２からの出力信号のピークレベルが検出し、加算器６４０へ送出する（ＳＴ１２０ａ／１２０ｂ→ＳＴ１３０）。
【００７３】
ここで、この様子について、図５を参照しながら説明する（説明では分かり易いようにアナログ波形で説明してある）。
【００７４】
例えば、信号Ｂが信号Ａに対して間隔ｄ（図１参照）に依存する遅延Ｔｄ（＝Ｔ０−Ｔ１）分遅れていた場合、信号Ａと信号Ｂの関係は、図５の左図に示す実線波形となる。
【００７５】
そして、信号Ａ及び信号Ｂは、絶対値化部６２１及び絶対値化部６２２により図５の右図の実線波形のように絶対値化されて出力され、ピーク検波部６３１及びピーク検波部６３２で、ピークレベルが検出され、図５の右図の破線で示したような出力信号となる。
【００７６】
ここで、時間Ｔ２において、信号Ａと信号Ｂのレベル差を比較すると、絶対値化後の出力信号（実線）では位相差によるレベル差が存在するが、ピーク検波後の出力信号（破線）では、位相差によるレベル差がほとんど生じることはない。
【００７７】
このようにピーク検波を行うことにより、マイク１１とマイク１２の間隔ｄに相当する遅延分の位相差に伴うずれを吸収した出力信号となり、ピーク検波後のレベル差は、回路を構成する部品によるバラツキによって発生するものがほとんどとなる。
【００７８】
また、絶対値化部の後にピーク検波部があることにより、各マイクロホンへ入射する音に位相差があっても、つまり斜め方向から音が入射しても、精度良くレベル差を検出することができる。
【００７９】
続いて、ピーク検波部６３１及びピーク検波部６３２においてピーク検波された出力信号は、加算器６４０に送られ、加算器６４０の＋側端子に入力されるピーク検波部６３１からの出力信号と、−側端子に入力されるピーク検波部６３２からの出力信号とを加算処理する（ＳＴ１３０）。
【００８０】
ピーク検波部６３２の出力は加算器６４０の−側端子に接続されているので、ピーク検波６３２の出力値はマイナス値となるので、「信号Ａ＋（−信号Ｂ）」という加算処理が行われ、この加算処理により信号Ａと信号Ｂのレベル差が検出され、その処理結果を符号検出部６５０に送出する（ＳＴ１３０→ＳＴ１４０）。
【００８１】
次に、符号検出部６５０では、加算器６４０の処理結果が＋符号、−符号もしくはゼロ（レベルが等しい）であるのかを検出し、その検出した符号値を信号生成部６６０に出力する（ＳＴ１４０）。
【００８２】
信号生成部６６０は、例えば、アップダウンカウンタで構成されており、入力した符号値に応じてアップカウントもしくはダウンカウントを繰り返すことによりレベル検出信号を生成してマイコン７０へ出力する。
【００８３】
信号生成部６６０は、符号検出部６５０において、「信号Ａ＋（−信号Ｂ）」＞０である、即ち、正値（＋）であると判別されると、アップダウンカウンタでレベル差に応じたアップカウントし、このカウント値に基づいたレベル検出信号をマイコン７０へ出力する（ＳＴ１４０→ＳＴ１５０→ＳＴ１９０）。
【００８４】
また、符号検出部６５０において、正値（＋）でない場合、「信号Ａ＋（−信号Ｂ）」＜０である、即ち、負値（−）であると判別されると、アップダウンカウンタでレベル差に応じたダウンカウントし、このカウント値に基づいたレベル検出信号をマイコン７０へ出力する（ＳＴ１４０→ＳＴ１６０→ＳＴ１９０）。
【００８５】
更に、符号検出部６５０において、負値（−）でなく、「信号Ａ＋（−信号Ｂ）」＝０であると判別され、前のカウント値をホールドし、このカウント値に基づいたレベル検出信号をマイコン７０へ出力する（ＳＴ１４０→ＳＴ１６０→ＳＴ１９０）。
【００８６】
このようにして、レベル差検出回路６０で生成したレベル検出信号がマイコン７０に送出される。
【００８７】
続いて、マイコン７０は、レベル差検出回路６０からのレベル検出信号に基づいてレベル制御信号を生成してレベル制御回路４０に送出することによってレベル制御回路４０を制御する。
【００８８】
このとき、ＡＤＣ３１の出力レベルに対してＡＤＣ３２の出力レベルが小さい時には、マイコン７０からの値がアップカウントされてレベル制御回路４０の出力レベルを大きくするようなレベル制御信号が送出され、逆にＡＤＣ３１の出力レベルに対してＡＤＣ３２の出力レベルが大きい時には、マイコン７０からの値がダウンカウントされてレベル制御回路４０の出力レベルを小さくするようなレベル制御信号が送出される。
【００８９】
そして、マイコン７０は、ＡＤＣ３１の出力レベルとＡＤＣ３２の出力レベルが同じになり、前カウント値をホールドしたところでレベル制御回路４０の制御をストップし、この時のレベル制御信号の値をＥＥＰＲＯＭ７１に書き込んで記憶し、マイクロホンレベルの調整が終了となる。
【００９０】
マイクロホンレベルの調整が終了すると、マイコン７０を調整モードから通常使用モードに切り換える。以降、マイコン７０がＥＥＰＲＯＭ７１に記録されたレベル制御信号を適宜読み出し、レベル制御回路４０がこのレベル制御信号に基づいてＡＤＣ３２の出力レベルを調整し、ＡＤＣ３１と同レベルの出力信号を有指向性演算処理回路５０の入力端子５２に送出するので、有指向性演算処理回路５０では、マイク１１とマイク１２の入力レベル差がない状態の信号を処理することができる。
【００９１】
尚、本実施例では、マイク２ヶについての調整方法を説明したが、マイクロホンが２個以上ある場合についても、１つのマイクロホンの入力レベルを基準として他のマイクロホンの入力レベルを調整することで、上述と同様の調整が可能である。
【００９２】
また、レベル制御回路４０を設ける位置は、マイク１１（Ｌ［ｃｈ］）側でもマイク１２（Ｒ［ｃｈ］）側のどちら側でもよく、両方に設けるようにしてもよい。
【００９３】
続いて、第２の実施例について、図６を参照しながら説明する。なお、上述した第１の実施例（図２参照）で説明した同一機能のものには同一番号を付してその説明を省略する。
【００９４】
図６に示すマイクロホン調整装置は、マイク１１／１２、ＡＭＰ（アンプ）２１／２２、ＡＤＣ（Ａ／Ｄコンバータ）３１／３２、レベル制御回路４０Ａ、有指向性演算処理回路５０、レベル差検出回路６０、マイコン７０から構成され、以下のように接続される。
【００９５】
マイク１１は、ＡＭＰ２１の入力側に接続され、ＡＭＰ２１の出力側は、ＡＤＣ３１の入力側とレベル差検出回路６０の一方の入力側に接続され、ＡＤＣ３１の出力側は、有指向性演算処理回路５０の入力端子５１に接続される。
【００９６】
また、マイク１２は、ＡＭＰ２２の入力側に接続され、ＡＭＰ２２の出力側は、レベル制御回路４０Ａの一方の入力側に接続され、レベル制御回路４０Ａの出力側は、ＡＤＣ３２の入力側に接続され、ＡＤＣ３２の出力側はレベル差検出回路６０の入力側と有指向性演算処理回路５０の入力端子５２に接続される。
【００９７】
一方、レベル差検出回路６０の入力側には、ＡＤＣ３１とＡＤＣ３２の出力側が接続され、レベル差検出回路６０の出力側は、マイコン７０の入力側に接続され、マイコン７０の出力ポート（ＤＡポート）は、レベル制御回路４０Ａの一方の入力側に接続される。
【００９８】
続いて、上述のように接続されたマイクロホンのレベル調整装置において、マイクロホンのレベルを調整するときの動作について説明する。
【００９９】
マイク１１及びマイク１２は、それぞれ、Ｒ［ｃｈ］及びＬ［ｃｈ］用のマイクロホンであり、例えば、図１のように間隔ｄで配置されているものであるとする。
【０１００】
マイク１１及びマイク１２は、周囲の環境音などを入力源とし、入力された音（アナログ信号）をそれぞれ電気信号に変換してＡＭＰ２１及びＡＭＰ２２に送る。
【０１０１】
ＡＭＰ２１は、マイク１１から送られてくる電気信号に変換されたアナログ信号をそれぞれ所定のレベルに最適化してＡＤＣ３１に送出する。
【０１０２】
また、ＡＭＰ２２は、マイク１２から送られてくる電気信号に変換された音（アナログ信号）を所定のレベルに最適化し、レベル制御回路４０Ａを介してＡＤＣ３２に送出する。
【０１０３】
ＡＤＣ３１及びＡＤＣ３２は、ＡＭＰ２１及びレベル制御回路４０Ａを介して送られてくるアナログ信号をそれぞれ所定のデジタル信号に変換してレベル差検出回路６０に送出する。
【０１０４】
レベル差検出回路６０は、ＡＤＣ３１とＡＤＣ３２から送られてくるデジタル信号のレベル差、即ち、マイク１１とマイク１２のレベル差を検出し、検出したレベル差に基づいてレベル検出信号を生成し、マイコン７０に出力する。
【０１０５】
なお、レベル差検出回路６０の動作は、上述の第１の実施例と同様であるのでその説明は省略する。
【０１０６】
マイコン７０は、レベル差検出回路６０からのレベル検出信号に基づいてレベル制御信号をアナログ信号として生成し、ＤＡポートからレベル制御回路４０Ａに送出することによってレベル制御回路４０Ａを制御する。
【０１０７】
このとき、ＡＤＣ３１の出力レベルに対してＡＤＣ３２の出力レベルが小さい時には、マイコン７０からの値がアップカウントされてレベル制御回路４０Ａの出力レベルを大きくするようなレベル制御信号（アナログ信号）が送出され、逆にＡＤＣ３１の出力レベルに対してＡＤＣ３２の出力レベルが大きい時には、マイコン７０からの値がダウンカウントされてレベル制御回路４０Ａの出力レベルを小さくするようなレベル制御信号（アナログ信号）が送出される。
【０１０８】
そして、マイコン７０は、ＡＤＣ３１の出力レベルとＡＤＣ３２の出力レベルが同じになり、前カウント値をホールドしたところでレベル制御回路４０Ａの制御をストップし、この時のレベル制御信号の値をＥＥＰＲＯＭ７１に書き込んで記憶し、マイクロホンレベルの調整が終了となる。
【０１０９】
マイクロホンレベルの調整が終了すると、マイコン７０を調整モードから通常使用モードに切り換える。以降、マイコン７０がＥＥＰＲＯＭ７１に記録されたレベル制御信号を適宜読み出し、レベル制御回路４０Ａがこのレベル制御信号に基づいてＡＭＰ２２の出力レベルを調整し、ＡＰＭ２１と同レベルの出力信号をＡＤＣ３１に送出するので、ＡＤＣ３１の出力信号とＡＤＣ３２の出力信号は同レベル、すなわち、マイク１１とマイク１２の入力レベルは同レベルとなり、有指向性演算処理回路５０では、マイク１１とマイク１２の入力レベル差がない状態の信号を処理することができる。
【０１１０】
本実施例のマイクロホン調整装置の動作は、第１の実施例と基本的には同様であるが、レベル制御がフィードバック方式であり、マイコン７０のＤＡポートよりアナログ信号としてレベル制御信号を出力し、アナログ回路で構成されたレベル制御回路４０Ａによって、ＡＭＰ２２からのアナログ信号のレベルを調整することを特徴としており、アナログ回路で構成されたレベル制御回路４０Ａにおける部品によるレベルのバラツキを含めてマイク相互（チャンネル間）のレベルバランスをとることができるという利点がある。
【０１１１】
尚、マイクロホンが２個以上ある場合についても、レベル調整が可能であることは勿論である。また、レベル制御回路４０Ａを設ける位置は、マイク１１（Ｌ［ｃｈ］）側でもマイク１２（Ｒ［ｃｈ］）側のどちら側でもよく、ＡＤＣ３１もしくはＡＤＣ３２の後段でもよい。また、両側に設けるようにしてもよいことは勿論のことである。
【０１１２】
上述した第１及び第２の実施例において、一般的に各部品により発生するレベルのバラツキ量は、マイクロホン（マイク１１／１２）の特性バラツキは±２〜±４［ｄＢ］であり、アンプ（ＡＭＰ２１／２２）は±０．５［ｄＢ］、図示していないＡＧＣ（Ａｕｔｏｍａｔｉｃ　Ｇａｉｎ　Ｃｏｎｔｒｏｌ）回路では±１［ｄＢ］、Ａ／Ｄコンバータ（ＡＤＣ３１／３２）で±０．５［ｄＢ］ぐらいのバラツキがある。
【０１１３】
したがって、トータルで最大±４〜±６［ｄＢ］程度のバラツキ量が積算される可能性があり、一般的に人の聴いたときに気がつかないレベル差である±１［ｄＢ］を超えてしまう。またこのレベルバラツキをもって有指向性演算処理を行うと、当然ながら生成される指向性が大きく乱れてしまう。第１及び第２の実施例では、このレベル差を検出して容易にレベル補正するもので、一例でこのレベル差を０．３［ｄＢ］以内に抑えることができるようになる。
【０１１４】
次に、第３の実施例として、電子機器が有するマイクロホンのレベルを調整する場合について図７を参照しながら説明する。
【０１１５】
図７は、マイクを有している電子機器１００と、この電子機器１００が有するマイクのレベル調整を行うための調整器２００とから構成されている。
【０１１６】
電子機器１００は、例えば、ビデオカメラなどの電子機器であり、マイク及びこのマイクの調整部を簡略化して図示したものであり、マイク１１１／１１２、ＡＭＰ（アンプ）１２１／１２２、ＡＤＣ（Ａ／Ｄコンバータ）１３１／１３２、レベル制御回路１４１／１４２、有指向性演算処理回路１５０、メモリ（ＥＶＲ内蔵ＥＥＰＲＯＭ）１８０から構成されており、以下のように接続される。
【０１１７】
マイク１１１はＡＭＰ１２１の入力側、マイク１１２はＡＭＰ１２２の入力側に接続され、ステレオ特性を得るための左右チャンネル（Ｒ［ｃｈ］、Ｌ［ｃｈ］）用のマイクロホンで、例えば、図１のように間隔ｄで配置され、入力された音を電気信号に変換してＡＭＰ１２１／ＡＭＰ１２２に出力する。
【０１１８】
ＡＰＭ１２１は、入力側をマイク１１１、出力側をレベル制御回路１４１と接続され、マイク１１１からの電気信号のレベルを最適化してＡＤＣ１３１に出力する。
【０１１９】
また、ＡＭＰ１２２は、入力側をマイク１１２、出力側をレベル制御回路１４２と接続され、マイク１１２からの電気信号のレベルを最適化してＡＤＣ１３２に出力する。
【０１２０】
レベル制御回路１４１は、入力側をＡＭＰ１２１、出力側をＡＤＣ１３１、別の入力側をメモリ１６０に接続され、メモリ１６０からのレベル制御信号に基づいて、ＡＭＰ１２１からの電気信号（アナログ信号）のレベルを調整し、ＡＤＣ１３１に出力する。
【０１２１】
また、レベル制御回路１４２は、入力側をＡＭＰ１２２、出力側をＡＤＣ１３２、別の入力側をメモリ１６０に接続されており、メモリ１６０からのレベル制御信号に基づいて、ＡＭＰ１２２から電気信号（アナログ信号）のレベルを調整し、ＡＤＣ１３２に出力する。
【０１２２】
ＡＤＣ１３１は、入力側をレベル制御回路１４１と接続され、出力側を指向性演算処理回路１５０の入力端子１５１とＤＳＰマイコン２４０の入力ポートに接続されており、レベル制御回路１４１から送られてくるアナログ信号をデジタル信号に変換して、有指向性演算処理回路１５０及びＤＳＰマイコン２４０に出力する。
【０１２３】
ＡＤＣ１３２は、入力側をレベル制御回路１４２と接続され、出力側を有指向性演算処理回路１５０（の入力端子１５２）とＤＳＰマイコン２４０の入力ポートに接続されており、レベル制御回路１４２から送られてくるアナログ信号をデジタル信号に変換して、有指向性演算処理回路１５０及びＤＳＰマイコン２４０に出力する。
【０１２４】
有指向性演算処理回路１５０は、入力端子１５１／１５２と、出力端子１５３／１５４とを備え、入力端子１５１はＡＤＣ１３１、入力端子１５２はＡＤＣ１３２と接続され、入力されるデジタル信号にステレオ音場演算等の有指向性演算処理を行い、処理したデジタル信号をそれぞれ出力端子１５３／１５４からＲ［ｃｈ］信号、Ｌ［ｃｈ］信号として出力する。
【０１２５】
メモリ１６０は、例えば、ＥＶＲ（Ｅｌｅｃｔｒｏｎｉｃ　ＶａｒｉａｂｌｅＲｅｓｉｓｔｏｒ；電子ボリューム）内蔵のＥＥＰＲＯＭなどの電気的消去／書き込みが可能な読み出し専用の不揮発メモリーであり、入力側はＤＳＰマイコン２４０、出力側はレベル制御回路１４１及びレベル制御回路１４２の入力側に接続されている。
【０１２６】
そして、マイクロホンのレベルを調整するときの調整モードと、マイクロホンを通常に使用する時の通常モードとを切り換えることができるようになっており、調整モードでは、ＤＳＰマイコン２４０からのＥＶＲ制御信号に基づいてレベル制御信号を生成してレベル制御回路１４１／１４２を制御し、ＡＤＣ１３１とＡＤＣ１３２の出力レベルを調整し、調整が完了したときのレベル制御信号をＥＥＰＲＯＭに書き込んで記憶する。
【０１２７】
また、通常モードでは、ＥＥＰＲＯＭに書き込まれたレベル制御信号を適宜読み出し、レベル制御回路１４１／１４２を制御してＡＤＣ１３１とＡＤＣ１３２の入力レベルを調整して、マイク１１１／１１２の入力レベル差をなくすようにする。
【０１２８】
一方、マイクレベル調整器２００は、ＲＥＦマイク２１０と、ＡＭＰ２２０と、ＡＤＣ２３０と、ＤＳＰマイコン２４０から構成され、電子機器１００に接続して電子機器１００のマイク１１１／１１２のレベル調整を行う。
【０１２９】
ＲＥＦマイク２１０は、電子機器１００のマイク１１１／１１２の基準となる特性を有するマイクロホンであり、ＡＭＰ２２０と接続され、マイク１１１／１１２に対して任意の位置に配置し、入力された音を電気信号に変換してＡＭＰ２２０に出力する。
【０１３０】
ＡＭＰ２２０は、入力側をＲＥＦマイク２１０、出力側をＡＤＣ２３０と接続し、ＲＥＦマイク２１０からの電気信号に変換された音のレベルを最適化するための処理を行い、ＡＤＣ２３０に出力する。
【０１３１】
ＡＤＣ２３０は、入力側をＡＭＰ２２０、出力側をＤＳＰマイコン２４０の入力ポートに接続され、ＡＭＰ２２０から送られてくる電気信号（アナログ信号）をデジタル信号に変換して、ＤＳＰマイコン２４０に出力する。
【０１３２】
ＤＳＰマイコン２４０は、入力ポートには電子機器１００のＡＤＣ１３１とＡＤＣ１３２、もう１つの入力ポートにはＡＤＣ２３０、出力ポートに電子機器１００のメモリ１６０が接続され、ＡＤＣ１３１及びＡＤＣ１３２からのデジタル信号のレベル差を検出し、検出したレベル差に基づいてメモリ１６０のＥＶＲを制御するためのＥＶＲ制御信号を生成して、電子機器１００のメモリ１６０に出力する。
【０１３３】
続いて、このような構成の電子機器１００をマイクレベル調整器２００において、マイクロホンのレベルを調整するときの動作について説明する。なお、本実施例の動作は、上述した第２の実施例と基本的には同じであるため、詳細な説明については省略する。
【０１３４】
まず、電子機器１００のＡＤＣ１３１及びＡＤＣ１３２の出力をマイクレベル調整器２００のＤＳＰマイコン２４０の入力ポートに接続し、ＤＳＰマイコン２４０の出力ポートを電子機器１００のメモリ１６０に入力するように接続する。そして、メモリ（ＥＶＲ内蔵ＥＥＰＲＯＭ）１６０は調整モードに設定する。
【０１３５】
次に、マイク調整器２００のＲＥＦマイク２１０をマイク１１１及びマイク１１２に接近するように配置する。この場合、図示したように、ＲＥＦマイク２１０とマイク１１１との距離をｄ１、ＲＥＦマイク２１０とマイク１１２との距離はｄ２となるように配置する。
【０１３６】
そして、マイク１１１及びマイク１１２は、周囲の環境音などを入力源とし、入力される環境音（アナログ信号）をそれぞれ電気信号に変換してＡＭＰ１２１及びＡＭＰ１２２に送る。
【０１３７】
ＡＭＰ１２１及びＡＭＰ１２２は、マイク１１１及びマイク１１２から送られてくる電気信号に変換された音（アナログ信号）をそれぞれ所定のレベルに最適化し、レベル制御回路１４１及びレベル制御回路１４２を介して、ＡＤＣ１３１及びＡＤＣ１３２に送出する。
【０１３８】
ＡＤＣ３１及びＡＤＣ３２では、レベル制御回路１４１及びレベル制御回路１４２を介して送られてくるアナログ信号を所定のデジタル信号に変換し、変換したデジタル信号をそれぞれＤＳＰマイコン２４０に入力する。
【０１３９】
一方、マイクレベル調整器２００では、ＲＥＦマイク２１０により、マイク１１１／１１２と同様に周囲の環境音などを入力源とし、入力された音（アナログ信号）を電気信号に変換してＡＭＰ２２０に送り、ＡＭＰ２２０で電気信号に変換された音（アナログ信号）を所定のレベルに最適化し、ＡＤＣ２３０で所定のデジタル信号に変換し、変換したデジタル信号をＤＳＰマイコン２４０に入力する。
【０１４０】
ＤＳＰマイコン２４０では、ＲＥＦマイク２１０からのデジタル信号とＡＤＣ１３１（マイク１１１）のからのデジタル信号、ＲＥＦマイク２１０からのデジタル信号とＡＤＣ１３２（マイク１１２）のからのデジタル信号とのレベル差をそれぞれ検出し、検出したそれぞれのレベル差に応じてメモリ１６０のＥＶＲを制御するＥＶＲ制御信号を生成し、電子機器１００のメモリ１６０に送出する。
【０１４１】
メモリ１６０は、ＤＳＰマイコン２４０からのＥＶＲ制御信号に基づいてＥＶＲが制御され、この制御に応じたレベル制御信号をレベル制御回路１４１及びレベル制御回路１４２に送出する。
【０１４２】
レベル制御回路１４１は、ＡＭＰ１２１からのアナログ信号のレベルをＲＥＦマイク２１０のレベルと同レベルとなるように調整し、レベル制御回路１４２は、ＡＭＰ１２２のアナログ信号のレベルをＲＥＦマイク２１０のレベルと同レベルになるように調整する。
【０１４３】
そして、ＤＳＰマイコン２４０は、ＡＭＰ１２１及びＡＭＰ１２２の出力レベルがＲＥＦマイク２１０のレベルと同じになったところで、レベル制御回路１４１及びレベル制御回路１４２の制御をストップし、この時にメモリ１６０から出力されたレベル制御信号をＥＥＰＲＯＭに書き込んで記憶し、それぞれのマイクロホンレベルの調整が終了となる。
【０１４４】
マイクロホンレベルの調整を終了すると、電子機器１００のメモリ１６０を通常状態のモードに切り換え、電子機器１００からマイクレベル調整器２００の接続を外す。
【０１４５】
以降、メモリ１６０のＥＥＰＲＯＭに記録されたレベル制御信号を適宜読み出してレベル制御回路１４１及びレベル制御回路１４２がこのレベル制御信号に基づいてＡＭＰ１２１／１２２の出力レベルを調整することにより、ＲＥＦマイク２１０（のＡＭＰ２２０の出力）と同じレベルに調整され、マイク１１１とマイク１１２のレベル差がＲＥＦマイク２１０と同レベルに調整され、且つ、マイク１１１とマイク１１２の相互のレベル差ない状態の信号が有指向性演算処理回路５０に送られる。
【０１４６】
したがって、基準となる特性を有するＲＥＦマイク及びレベル差を検出してそれに応じた制御信号を出力するレベル調整器をレベル調整時のみ接続して、各マイクロホンを調整することで、電子機器１００の本体部分の回路を増加させることがなく、マイクロホンのレベル調整を行うことができる。
【０１４７】
また、マイク１１１とマイク１１２の間隔ｄが大きい場合でも、ＲＥＦマイク２１０をマイク１１１とマイク１１２に近接させることによりＲＥＦマイク２１０との間隔ｄ１、ｄ２を小さくでき、前記［３］式の周波数Ｆを高く、つまり、ＬＰＦのカットオフ周波数を周波数Ｆに対して十分に低く設定することができる（図１参照）。
【０１４８】
なお、図７においてＡＭＰ１２１（又はＡＭＰ１２２）とレベル制御回路１４１（又はレベル制御回路１４２）を兼ねるようにして回路の部品を削減することも可能である。
【０１４９】
また、ＲＥＦマイク２１０は、基準入力感度を持つマイクロホンとすることで、マイク１１１、マイク１１２の入力感度も基準入力感度に調整され、マイクロホンごとの感度バラツキも抑えることができる。
【０１５０】
本実施例においても、上述した第１及び第２の実施例と同様、マイクロホンが２個以上ある場合についても、ＲＥＦマイクを近接させることで同様に調整が可能であり、レベル制御回路を設ける位置は、ＡＤＣ１３１及びＡＤＣ１３２の後段でもよい。また、マイクロホンが１個である場合についても調整が可能であることは勿論である。
【０１５１】
なお、上述した第１〜第３の実施例において、調整モード時は自動調整となるため、所定時間の経過後に収束したレベル制御信号をＥＥＰＲＯＭに書き込むことになるが、この時、夫々のマイクに入射する周波数Ｆ（上述［３］式参照）以下の環境音をレベル検波する必要がある。
【０１５２】
一般に屋内及び屋外に存在する環境音は、その周波数特性が１／ｆ特性（ｆは周波数）を示し、低域になるにつれてレベルが大きくなる特性をもつため、ほとんどの場合問題なくレベル検波が可能であるが、調整時においてはよりレベル検波を容易にするために、前記［３］式を満足する任意の周波数音を補助的にマイクに放射するようにしてもよい。
【０１５３】
なお、マイクに放射する音は、基準音源である必要はなく、任意のレベルでよいため、基準音源の設置・校正や防音室等の隔離環境も不要であり、騒音の多い調整ライン工程でも問題なく入力レベルの調整を行うことができる。
【０１５４】
また、この時、ＡＤＣからの入力信号を帯域制限するためのＬＰＦをＢＰＦ（Ｂａｎｄ　Ｐａｓｓ　Ｆｉｌｔｅｒ）とし、任意の周波数帯のみを抽出するようにして、その周波数においてレベル調整を行うことも可能である。
【０１５５】
【発明の効果】
以上説明したように、無指向性マイクロホンの入力レベル調整するとき、マイクロホンに入力する音源は、周囲の環境音などでよく、特別な音源が不要であり、且つ、マイクロホンの調整が完了したときのレベル（レベル制御信号）を記憶し、この記憶したレベルによって各マイクロホンのレベルを調整するので、調整時の適正な状態でマイクロホンを常に動作させることができるようになり、例えば、ビデオカメラなどの機器の場合、機器の出荷以前に調整工程でレベル調整を行い、その調整値がメモリに記憶されているので、常に出荷時のレベルバランスを維持した状態でマイクロホンを動作させることができるという極めて優れた効果を奏するものである。
【０１５６】
また、マイクロホンのみの感度バラツキ補正だけでなく、マイクロホンの入力信号を処理する回路（ＡＭＰ、ＡＧＣ、ＡＤコンバータなど）によるレベルのバラツキも同時に補正することができるというメリットもある。
【０１５７】
また、各マイクロホンの入力レベルは、基準となる特性を有する基準マイクロホンの入力レベルに調整されるので、常に基準マイクロホンの入力レベルで調整した状態で各マイクロホンを動作させることができるようになり、更に、複数のマイクロホンで構成されている場合は、マイクロホン同士の入力レベル（感度）のバラツキが抑えられ、有指向性演算処理における音場定位の乱れを抑えることができるという優れた効果を奏するものである。
【図面の簡単な説明】
【図１】マイクロホンと音源との関係について示した説明図である。
【図２】本発明に係るマイクロホンのレベル調整装置の構成例を略示的に示したブロック図である。
【図３】図２に示したマイクロホンのレベル調整装置におけるレベル差検出回路の構成例を略示的に示したブロック図である。
【図４】図３に示したレベル差検出回路の動作フローチャートである。
【図５】図３に示したレベル差検出回路における動作状態の説明図である。
【図６】本発明に係るマイクロホンのレベル調整装置における別の構成例を略示的に示したブロック図である。
【図７】本発明に係るマイクロホンを備えた電子機器において、マイクロホンの入力レベルを調整するときの構成例を略示的に示したブロック図である。
【符号の説明】
１１／１２；マイク、２１／２２；ＡＭＰ（アンプ）、３１／３２；ＡＤＣ（ＡＤ変換器）、４０；レベル制御回路、５０；有指向性演算処理回路、５１／５２；入力端子、５３／５４；出力端子、６０；レベル差検出回路、７０；マイコン、７１；ＥＥＰＲＯＭ、４０Ａ；レベル制御回路
６１１／６１２；ＬＰＦ（Ｌｏｗ　Ｐａｓｓ　Ｆｉｌｔｅｒ）、６２１／６２２；絶対値化部、６３１／６３２；ピーク検波部、６４０；加算器、６５０；符号検出部、６６０；制御信号生成部
１００；電子機器、１１１／１１２；マイク、１２１／１２２；ＡＭＰ（アンプ）、１３１／１３２；ＡＤＣ（ＡＤ変換器）、１４１／１４２；レベル制御回路、１５０；有指向性演算処理回路、１５１／１５２；入力端子、１５３／１５４；出力端子、１６０；メモリ
２００；マイクレベル調整器、２１０；ＲＥＦマイク、２２０；ＡＭＰ（アンプ）、２３０；ＡＤＣ（ＡＤ変換器）、２４０；ＤＳＰマイコン
【図１】
2004129038.tif 000004
【図２】
2004129038.tif 000005
【図３】
2004129038.tif 000006
【図４】
2004129038.tif 000007
【図５】
2004129038.tif 000008
【図６】
2004129038.tif 000009
【図７】
2004129038.tif 000010